(57)【要約】【課題】従来の案内アダプタの欠点を解決し、サーベル鋸による快適な切断を生ずることができる案内アダプタを得る。【解決手段】サーベル鋸２のハウジング４におけるツール側端部に取り外し可能に固定する支持手段と、加工材３２に当接する当接素子１６を有し、当接素子１６には加工材３２の外面３０に固定する鉤爪輪郭を設けたサーベル鋸用の案内アダプタ１８において、支持手段には、ハウジング４に対して移動しないよう係止する係止輪郭を設け、鉤爪輪郭が支持手段に対して平行移動可能に係止できるようにする。鉤爪輪郭には、支持手段から離れる方向に指向する複数個の歯２８を、好適には互いに平行な２列にして配列する。当接素子１６を、支持手段に移動不能に固定し、また歯２８を、半径Ｒが１０〜３０ｃｍの範囲の円弧状経路に沿って配列する。【選択図】図１
2005324551.tif 000002
【特許請求の範囲】
【請求項１】
サーベル鋸（２）のハウジング（４）におけるツール側端部に取り外し可能に固定する支持手段と、加工すべき加工材（３２）に当接する当接素子（１６）を有し、この当接素子（１６）には前記加工材（３２）の外面（３０）に固定する鉤爪輪郭を設けたサーベル鋸用の案内アダプタ（１８）において、前記支持手段には、前記ハウジング（４）に対して移動しないよう係止する係止輪郭を設け、前記鉤爪輪郭が支持手段に対して平行移動可能に係止できるようにし、前記鉤爪輪郭には、支持手段から離れる方向に指向する複数個の歯（２８）を設けたことを特徴とするサーベル鋸用アダプタ。
【請求項２】
前記歯（２８）を、２個の互いに平行な列に配列した請求項１記載のサーベル鋸用アダプタ。
【請求項３】
前記当接素子（１６）を、前記支持手段に移動不能に固定する請求項１または２記載のサーベル鋸用アダプタ。
【請求項４】
前記歯（２８）を、円弧状経路に沿って配列した請求項３に記載のサーベル鋸用アダプタ。
【請求項５】
半径（Ｒ）が１０〜３０ｃｍの範囲、とくに、２０ｃｍの半径の円弧状経路に沿って前記歯（２８）を配列した請求項４記載のサーベル鋸用アダプタ。
【請求項６】
前記当接素子（１６）を、前記支持手段に対して回動軸線（Ｓ）の周りに回動可能に連結した請求項１または２記載のサーベル鋸用アダプタ。
【請求項７】
前記支持手段に、サーベル鋸（２）の対応する収容部（２２）に挿入する互いに平行な２個のロッド（２０）を設け、前記ロッドにそれぞれ設けた掛合切欠き（２４）に錠止素子（２６）が部分的に収容される構成とした請求項１乃至６のうちのいずれか一項に記載のサーベル鋸用アダプタ。
【請求項８】
前記ロッド（２０）には、軸線方向に互いに離れた２個の掛合切欠き（２４）を設けた請求項７記載のサーベル鋸用アダプタ。
【請求項９】
請求項１乃至８のうちのいずれか一項に記載の案内アダプタ（１８）を有することを特徴とするサーベル鋸（２）。
【発明の詳細な説明】
【技術分野】
【０００１】
本発明は、サーベル鋸のハウジングにおけるツール側端部に取り外し可能に固定する支持手段と、加工すべき加工材に当接する当接素子を有し、この当接素子には前記加工材の外面に固定する鉤爪輪郭を設けたサーベル鋸用の案内アダプタに関するものである。さらに、本発明は、このような案内アダプタを有するサーベル鋸に関する。
【０００２】
このような鉤爪輪郭を有する案内アダプタは、柔らかい材料の加工材に鉤爪輪郭が部分的に食い込んでサーベル鋸を固定し、横滑りを回避する作用を行う。このような加工材としては、木材または樹木の枝を切断する場合がある。
【背景技術】
【０００３】
このような案内アダプタを装置の首部に保持するサーベル鋸がある。（例えば、特許文献１参照。）この場合、案内アダプタには、案内素子に対して移動自在のフック素子を設け、このフック素子を鉤爪輪郭に形成する。鉤爪輪郭の歯を、切断方向に突出させる。サーベル鋸を切断すべき枝にあてがう際に、この枝は、鉤爪輪郭と案内素子との間にクランプされる。切断作業中は、フック素子は、ばね力に抗して案内素子に沿って移動し、これにより、サーベル鋸は、切断すべき枝対して徐々に食い込んでいく。
【特許文献１】米国特許第６，４８４，４０９号明細書
【０００４】
このようなプロセスは、確かに、ほぼ丸い断面の加工材を切断する際に良好な案内を行う。しかし、例えば、木製の壁に小さく切り込むような切断作業に関しては、この既知の案内アダプタは、フック素子の移動行程が限定されているため不適当である。さらに、鋸によって特に大きな圧力を切断方向に加えなければならず、一方ではフック素子に作用するばね力に打ち勝ち、また他方では鋸ブレードを押し進めるに必要な圧力を加えなければならない。このような大きな圧力を加えるため、サーベル鋸の鋸ブレード側とは反対側の端部に一方の手を上側から添えるとともに、装置の首部に添える他方の手で下側から圧力を加える。このようにして生じた回転モーメントにより、比較的高い鋸ブレードの圧力が加工材に発生する。
【発明の開示】
【発明が解決しようとする課題】
【０００５】
本発明の目的は、従来の案内アダプタの欠点を解決し、サーベル鋸による快適な切断を生ずることができる案内アダプタを得るにある。
【課題を解決するための手段】
【０００６】
この目的を達成するため、本発明サーベル鋸用案内アダプタは、前記支持手段には、前記ハウジングに対して移動しないよう係止する係止輪郭を設け、前記鉤爪輪郭が支持手段に対して平行移動可能に係止できるようにし、前記鉤爪輪郭には、支持手段から離れる方向に指向する複数個の歯を設けたことを特徴とする。
【発明の効果】
【０００７】
このような構成の案内アダプタによれば、切断作業の際に利用できるサーベル鋸のてこアームが明らかに長くなり、このてこアームは、鋸ブレード側とは反対側におけるサーベル鋸の後方端部から、ハウジング及び支持手段を経て、当接素子に至るまで存在する。同時に、長くなったてこアームが作用する回転ポイントは、当接素子が鉤爪輪郭によって加工材に安定的に保持される固定ポイントとなる。このようにして、回転モーメントを生ずるに必要な対向圧力は、加工材に掛合する鉤爪輪郭によってのみ生ずる。このとき、鋸ブレードを押し進めるに必要な圧力は、サーベル鋸の後方端部を持ち上げることによって生ずる。したがって、鋸ブレードによる加工材に対する切断に必要な圧力は、単に片手で生ずることができる。
【発明を実施するための最良の形態】
【０００８】
好適な実施例においては、歯を、２個の互いに平行な列に配列する。この構成によれば、一方では加工材の表面に対する歯輪郭の固定が良好に行われ、他方では鋸ブレードの案内を良好に行うことができるようになる。
【０００９】
好適には、当接素子を、支持手段に移動不能に固定する。この構成によれば、サーベル鋸の後方端部からハウジング、支持手段、及び当接素子を経て鉤爪輪郭にいたる利用できるてこアームの長さを最大に調整することができる。この最大てこアームが作用する回転ポイントは、当接する加工材表面に食い込む歯の頂点によって規定される。これにより、加工材に対する鋸ブレードの高い押圧力を楽に加えることができるようになる。
【００１０】
好適には、歯を、円弧状経路に沿って配列する。この構成によれば、歯輪郭の周りに回転モーメントを生ずる際に、加工材に食い込む歯の転動を確実に生じる。このような歯輪郭の転動は、切断作業中に、加工材に対する当接素子の十分な保持を保証する。
【００１１】
好適には、半径が１０〜３０ｃｍの範囲、とくに、２０ｃｍの半径の円弧状経路に沿って歯を配列する。この構成によれば、歯輪郭の周りの回転モーメントを特に楽に生ずることができるようになる。
【００１２】
他の好適な実施例においては、当接素子を、支持手段に対して回動軸線の周りに回動可能に連結する。この構成によれば、切断作業中に歯の多くの部分が加工材に接触することができるようになる。この場合、利用できるてこアームのほぼ最大限の長さで、加工材表面に当接素子がとくに確実に固定されるようになる。
【００１３】
好適には、支持手段に、サーベル鋸の対応する収容部に挿入する互いに平行な２個のロッドを設け、前記ロッドにそれぞれ設けた掛合切欠きに錠止素子が部分的に収容される構成とする。この場合、錠止素子が少なくとも部分的に収容される少なくとも１個の掛合切欠きを各ロッドに設け、ロッドを収容部内で軸線方向に固定する。
【００１４】
とくに、ロッドには軸線方向に互いに離れた２個の掛合切欠きを設けると好適である。このようにすると、サーベル鋸に対する当接素子の距離、したがって、利用できるてこアームの長さを、行う切断作業に適合させることができるようになる。
【００１５】
次に、図面につき本発明の好適な実施例を説明する。
【実施例１】
【００１６】
図１は、後方端部に第１グリップ６を形成したハウジング４を有するサーベル鋸２を示す。ハウジング４の後方端部とは反対側のツール側端部を首部８として設け、この首部８は第２グリップとしても作用する。
【００１７】
この首部８の遊端においてハウジング４から延びる鋸ブレード１０を突出させ、この鋸ブレード１０は、ツール収容部１２を介してサーベル鋸２のツールスピンドル１４に固定する。鋸ブレード１０は、参照符号１８で示す案内アダプタの当接素子１６内を通過し、サーベル鋸２から分離した状態の案内アダプタ１８を図２に示す。
【００１８】
この案内アダプタ１８は、互いに平行な円形断面を有するロッド２０の形式の支持手段によって、サーベル鋸２の首部８に固定可能とする。この固定のため、ロッド２０を首部８の中空円筒形の収容部２２に挿入する。この中空円筒形収容部２２は、円形断面のロッド２０にほぼ対応する断面を有するものとする。
【００１９】
円筒形収容部２２にロッドを軸線方向に固定するため、各ロッド２０に、２個の掛合切欠き部２４を形成する。これら掛合切欠き部２４には、図面に線図的に示した錠止素子２６が掛合する。この錠止素子２６が２個の掛合切欠き部２４のうちのどちらに掛合するかによって、当接素子１６がハウジング４に対してより多くまたはより少なく離れて固定される。
【００２０】
円形断面のロッド２０並びに掛合切欠き部２４は、首部８に対する係止を可能にする支持手段の係止輪郭を構成する。
【００２１】
さらに、図１及び図２から分かるように、当接素子１６に、鉤爪輪郭として、複数個の歯２８を設ける。これら歯２８は、当接素子１６の先端側に設け、即ち、ロッド２０の軸線方向に当接素子から延在し、取付状態では、サーベル鋸２から離れる方向に指向する。これら歯２８の頂点は、それぞれ半径Ｒの仮想円弧に沿う２個の互いに平行な列として配列し、この半径Ｒは１０〜３０ｃｍの範囲の値とし、例えば、２０ｃｍとすることができる。
【００２２】
切断作業の際には、当接素子１６の先端側を加工しようとする加工材３２に当接する。このとき、歯２８は、図１に示すように、加工材３２の表面３０に食い込み、案内アダプタ１８によって加工材３２が加工方向Ａに移動しないように固定する。サーベル鋸２の後方端部を行程Ｈにわたり移動すると、加工材３２に食い込む歯２８の頂点からサーベル鋸２の後方端部にいたる最大てこアーム長さＨＡによって、食い込んだ歯の頂点の周りに相対的な回転モーメントＭを生ずる。この回転モーメントにより、加工材３２に対してサーベル鋸１０が加工方向Ａに高い押圧圧力を生ずる。
【００２３】
さらに、図２から明らかなように、当接素子１６は固定手段３４によって双方のロッド２０（支持手段）に固定することができる。代案として、当接素子１６と支持素子を一体構成とすることもできる。
【実施例２】
【００２４】
図３に、案内アダプタ１８の他の実施例を示し、この実施例では、当接素子１６は、ロッド２０に対して回動軸線Ｓの周りに回動自在に保持する。この場合、当接素子１６は、中間素子３６及び固定手段３４を介してロッド２０に連結し、ピン３８を介して当接素子１６を中間素子３６に回動自在に取り付ける。
【図面の簡単な説明】
【００２５】
【図１】本発明による第１実施例の案内アダプタを有するサーベル鋸の側面図である。
【図２】図１の案内アダプタの斜視図である。
【図３】第２実施例の案内アダプタの斜視図である。
【符号の説明】
【００２６】
２  サーベル鋸
４  ハウジング
６  第１グリップ
８  首部
１０  鋸ブレード
１２  ツール収容部
１４  ツールスピンドル
１６  当接素子
１８  案内アダプタ
２０  ロッド
２２  収容部
２４  掛合切欠き部
２６  錠止素子
２８  歯
３０  表面
３２  加工材
３４  固定手段
３６  中間素子
３８  ピン
【図１】
2005324551.tif 000003
【図２】
2005324551.tif 000004
【図３】
2005324551.tif 000005